【手続補正書】
【提出日】平成26年10月3日(2014.10.3)
【手続補正１】
【補正対象書類名】特許請求の範囲
【補正対象項目名】全文
【補正方法】変更
【補正の内容】
【特許請求の範囲】
【請求項１】
コンテンツ受信装置との間で、無線通信の接続確立と所定の暗号化規格に準拠した認証とを実行する接続確立手段と、
映像と音声とを含むコンテンツを記憶する記憶メディアから前記コンテンツを読み出すためのメディアドライブと、
前記メディアドライブにより読み出されたコンテンツを再生する再生手段と、
前記再生手段により生成された映像信号と音声信号とを符号化する符号化手段と、
符号化された映像信号と、前記所定の暗号化規格に準拠した暗号化方式での暗号化は行われていない符号化された音声信号と、前記映像信号に前記所定の暗号化規格に準拠した暗号化方式が適用されているか否かを示すために定義された所定の情報とを含む多重化データを生成する多重化手段と、
前記多重化手段により生成された多重化データを伝送路に送出する転送手段と、
を具備し、
前記接続確立手段は、前記多重化データを受信する受信手段と前記多重化データが前記所定の情報を含むならば前記音声信号をコピー不可として扱う制御手段とを備える前記コンテンツ受信装置との間で、前記接続確立および前記認証を完了させ、
前記転送手段は、前記接続確立および前記認証が完了した後に前記多重化データを転送する、
電子機器。
【請求項２】
コンテンツ受信装置との間で、無線通信の接続確立と所定の暗号化規格に準拠した認証とを実行する接続確立手段と、
映像と音声とを含むコンテンツを記憶する記憶メディアから前記コンテンツを読み出すためのメディアドライブと、
前記メディアドライブにより読み出されたコンテンツを再生する再生手段と、
前記再生手段により生成された映像信号と音声信号とを符号化する符号化手段と、
符号化された映像信号と、前記所定の暗号化規格に準拠した暗号化方式での暗号化は行われていない符号化された音声信号と、前記所定の暗号化規格で定義された所定の情報とを含む多重化データを生成する多重化手段と、
前記多重化データを伝送路に送出する転送手段と、
を具備し、
前記接続確立手段は、前記多重化データを受信する受信手段と前記多重化データが前記所定の情報を含むならば前記音声信号をコピー不可として扱う制御手段とを備える前記コンテンツ受信装置との間で、前記接続確立および前記認証を完了させ、
前記転送手段は、前記接続確立および前記認証が完了した後に前記多重化データを転送する、
電子機器。
【請求項３】
コンテンツ受信装置との間で、無線通信の接続確立と所定の暗号化規格に準拠した認証とを実行する接続確立手段と、
映像と音声とを含むテレビジョン放送番組データを受信するための受信手段と、
前記受信手段により受信されたテレビジョン放送番組データを再生する再生手段と、
前記再生手段により生成された映像信号と音声信号とを符号化する符号化手段と、
符号化された映像信号と、前記所定の暗号化規格に準拠した暗号化方式での暗号化は行われていない符号化された音声信号と、前記所定の暗号化規格で定義された所定の情報とを含む多重化データを生成する多重化手段と、
前記多重化データを伝送路に送出する転送手段と、
を具備し、
前記接続確立手段は、前記多重化データを受信する受信手段と前記多重化データが前記所定の情報を含むならば前記音声信号をコピー不可として扱う制御手段とを備える前記コンテンツ受信装置との間で、前記接続確立および前記認証を完了させ、
前記転送手段は、前記接続確立および前記認証が完了した後に前記多重化データを転送する、
電子機器。
【請求項４】
コンテンツ受信装置との間で、無線通信の接続確立と所定の暗号化規格に準拠した認証とを実行する接続確立手段と、
映像と音声とを含むコンテンツをネットワークを介して接続されるサーバから取得するための通信装置と、
前記通信装置により取得されたコンテンツを再生する再生手段と、
前記再生手段により生成された映像信号と音声信号とを符号化する符号化手段と、
符号化された映像信号と、前記所定の暗号化規格に準拠した暗号化方式での暗号化は行われていない符号化された音声信号と、前記所定の暗号化規格で定義された所定の情報とを含む多重化データを生成する多重化手段と、
前記多重化データを伝送路に送出する転送手段と、
を具備し、
前記接続確立手段は、前記多重化データを受信する受信手段と前記多重化データが前記所定の情報を含むならば前記音声信号をコピー不可として扱う制御手段とを備える前記コンテンツ受信装置との間で、前記接続確立および前記認証を完了させ、
前記転送手段は、前記接続確立および前記認証が完了した後に前記多重化データを転送する、
電子機器。
【請求項５】
コンテンツ受信装置との間で、無線通信の接続確立と所定の暗号化規格に準拠した認証とを実行する接続確立手段と、
ゲーム用のプログラムを実行するためのプロセッサと、
前記プロセッサが前記プログラムを実行して生成した映像信号と音声信号とを符号化する符号化手段と、
符号化された映像信号と、前記所定の暗号化規格に準拠した暗号化方式での暗号化は行われていない符号化された音声信号と、前記所定の暗号化規格で定義された所定の情報とを含む多重化データを生成する多重化手段と、
前記多重化データを伝送路に送出する転送手段と、
を具備し、
前記接続確立手段は、前記多重化データを受信する受信手段と前記多重化データが前記所定の情報を含むならば前記音声信号をコピー不可として扱う制御手段とを備える前記コンテンツ受信装置との間で、前記接続確立および前記認証を完了させ、
前記転送手段は、前記接続確立および前記認証が完了した後に前記多重化データを転送する、
電子機器。
【請求項６】
コンテンツ受信装置との間で、無線通信の接続確立と所定の暗号化規格に準拠した認証とを実行する接続確立手段と、
映像信号と音声信号とを入力するための入力端子と、
前記入力端子から入力された映像信号と音声信号とを符号化する符号化手段と、
符号化された映像信号と、前記所定の暗号化規格に準拠した暗号化方式での暗号化は行われていない符号化された音声信号と、前記所定の暗号化規格で定義された所定の情報とを含む多重化データを生成する多重化手段と、
前記多重化データを伝送路に送出する転送手段と、
を具備し、
前記接続確立手段は、前記多重化データを受信する受信手段と前記多重化データが前記所定の情報を含むならば前記音声信号をコピー不可として扱う制御手段とを備える前記コンテンツ受信装置との間で、前記接続確立および前記認証を完了させ、
前記転送手段は、前記接続確立および前記認証が完了した後に前記多重化データを転送する、
電子機器。
【請求項７】
前記入力端子は、ＨＤＭＩ（high-definition multimedia interface）ケーブルを接続するための端子である請求項６に記載の電子機器。
【請求項８】
前記所定の暗号化規格は、ＨＤＣＰ２．０またはその後継規格であり、
前記所定の情報は、ＨＤＣＰ２．０またはその後継規格で規定されたregistration descriptorである、
請求項１乃至７の何れかに記載の電子機器。
【請求項９】
第１のインターフェース規格に準拠した第１のインターフェースを介して、所定の暗号化規格に準拠した暗号化方式により暗号化された映像信号と、暗号化されていない音声信号とが多重化された多重化データを受信する受信手段と、
前記多重化データに前記所定の暗号化規格で定義された所定の情報が含まれる場合、前記多重化データに含まれる前記暗号化されていない音声信号をコピー不可として扱う制御手段と、
前記音声信号に基づく音声データを、前記第１のインターフェース規格と異なる第２のインターフェース規格に準拠した第２のインターフェースを介して、外部の機器に出力する出力手段と、
を具備する電子機器。
【請求項１０】
前記受信手段により受信された前記音声信号をデコードして音声データを生成する音声デコード手段をさらに具備し、
前記出力手段は、生成された前記音声データを、前記第２のインターフェースを介して外部の機器に出力する、
請求項９に記載の電子機器。
【請求項１１】
前記出力手段は、前記音声信号を、当該音声信号に著作権保護が適用されている旨を示すコピー制御情報と共に、前記第２のインターフェースを介して、外部の機器に出力する請求項９または１０に記載の電子機器。
【請求項１２】
前記受信手段は、暗号化されていない映像信号と、暗号化されていない音声信号とを含む多重化データを受信し、
前記制御手段は、前記受信手段が暗号化されていない映像信号と暗号化されていない音声信号とを含む多重化データを受信した場合であって前記多重化データに前記所定の情報が含まれない場合、前記音声信号をコピー不可の制限が無いものとして扱う、
請求項９乃至１１の何れかに記載の電子機器。
【請求項１３】
前記第１のインターフェースは無線ＬＡＮであり、
前記所定の暗号化規格は、ＨＤＣＰ２．０またはその後継規格であり、
前記所定の情報は、ＨＤＣＰ２．０で規定されたregistration descriptorである、
請求項９乃至１２の何れかに記載の電子機器。
【請求項１４】
前記第２のインターフェースはＳＰＤＩＦに準拠している請求項９乃至１３の何れかに記載の電子機器。
【請求項１５】
前記受信手段は、伝送路が暗号化された前記無線ＬＡＮを介して前記多重化データを受信する請求項１３に記載の電子機器。
【請求項１６】
暗号化された前記映像信号を暗号化復号する暗号化復号手段と、
暗号化復号された前記映像信号をデコードする映像デコード手段と、
受信された前記音声信号をデコードする音声デコード手段と、
デコードされた前記映像信号を用いて表示出力するディスプレイと、
デコードされた前記音声信号を用いて音声出力するスピーカーと、
をさらに具備する請求項９乃至１５の何れかに記載の電子機器。
【請求項１７】
送信装置から、第１のインターフェース規格に準拠した第１のインターフェースを介して、所定の暗号化規格に準拠した暗号化方式により暗号化された映像信号と、前記暗号化方式での暗号化は行われていない音声信号とが多重化された多重化データを受信する受信手段と、
前記多重化データに、前記映像信号に前記所定の暗号化規格に準拠した暗号化方式が適用されていることを示すために定義された所定の情報が含まれる場合、前記多重化データに含まれる前記音声信号をコピー不可として扱う制御手段と、
前記音声信号に基づく音声を、前記第１のインターフェース規格と異なる第２のインターフェース規格に準拠した第２のインターフェースを介して、外部の機器に出力する出力手段と、
を具備する電子機器。
【請求項１８】
前記所定の情報は、前記映像信号のみに前記所定の暗号化規格に準拠した暗号化方式が適用されていることを示す請求項１７に記載の電子機器。
【請求項１９】
前記受信手段により受信された前記音声信号をデコードして音声データを生成する音声デコード手段をさらに具備し、
前記出力手段は、生成された前記音声データを、前記第２のインターフェースを介して外部の機器に出力する、
請求項１７または１８に記載の電子機器。
【請求項２０】
前記出力手段は、前記音声信号を、当該音声信号に著作権保護が適用されている旨を示すコピー制御情報 と共に、前記第２のインターフェースを介して、外部の機器に出力する請求項１７乃至１９の何れかに記載の電子機器。
【請求項２１】
前記受信手段は、暗号化されていない映像信号と、暗号化されていない音声信号とを含む多重化データを受信し、
前記制御手段は、前記受信手段が暗号化されていない映像信号と暗号化されていない音声信号とを含む多重化データを受信した場合であって前記多重化データに前記所定の情報が含まれない場合、前記音声信号をコピー不可の制限が無いものとして扱う、
請求項１７乃至２０の何れかに記載の電子機器。
【請求項２２】
前記第１のインターフェースは無線ＬＡＮであり、
前記所定の暗号化規格は、ＨＤＣＰ２．０またはその後継規格である、
請求項１７乃至２１の何れかに記載の電子機器。
【請求項２３】
前記所定の情報は、ＨＤＣＰ２．０で規定されたregistration descriptorである請求項２２に記載の電子機器。
【請求項２４】
前記第２のインターフェースはＳＰＤＩＦに準拠している請求項１７乃至２３の何れかに記載の電子機器。
【請求項２５】
前記受信手段は、伝送路が暗号化された前記無線ＬＡＮを介して前記多重化データを受信する請求項２２に記載の電子機器。
【請求項２６】
暗号化された前記映像信号を暗号化復号する暗号化復号手段と、
暗号化復号された前記映像信号をデコードする映像デコード手段と、
受信された前記音声信号をデコードする音声デコード手段と、
デコードされた前記映像信号を用いて表示出力するディスプレイと、
デコードされた前記音声信号を用いて音声出力するスピーカーと、
をさらに具備する請求項１７乃至２５の何れかに記載の電子機器。
【手続補正２】
【補正対象書類名】明細書
【補正対象項目名】０００８
【補正方法】変更
【補正の内容】
【０００８】
実施形態によれば、電子機器は、接続確立手段、メディアドライブ、再生手段、符号化手段、多重化手段および転送手段を具備する。接続確立手段は、コンテンツ受信装置との間で、無線通信の接続確立と所定の暗号化規格に準拠した認証とを実行する。メディアドライブは、映像と音声とを含むコンテンツを記憶する記憶メディアから前記コンテンツを読み出す。再生手段は、前記メディアドライブにより読み出されたコンテンツを再生する。符号化手段は、前記再生手段により生成された映像信号と音声信号とを符号化する。多重化手段は、符号化された映像信号と、前記所定の暗号化規格に準拠した暗号化方式での暗号化は行われていない符号化された音声信号と、前記映像信号に前記所定の暗号化規格に準拠した暗号化方式が適用されているか否かを示すために定義された所定の情報とを含む多重化データを生成する。転送手段は、前記多重化手段により生成された多重化データを伝送路に送出する。接続確立手段は、前記多重化データを受信する受信手段と前記多重化データが前記所定の情報を含むならば前記音声信号をコピー不可として扱う制御手段とを備える前記コンテンツ受信装置との間で、前記接続確立および前記認証を完了させる。転送手段は、前記接続確立および前記認証が完了した後に前記多重化データを転送する。